(57)【要約】【課題】画像読取装置における温度上昇を抑えるとともに、消費電力を低減させる。【解決手段】ＣＰＵ２００はモータードライバ２０１にモーター駆動信号を出力し、モーター２０２により走査手段である第１ミラー台１２１、第２ミラー台１２４を移動させて、原稿読み取りを行う。走査手段が読み取り原稿の後端部まで達し、原稿全体の読み取りが完了すると、ＣＰＵ２００は走査手段を読み取り開始位置に戻すべく、モータードライバ２０１を介してモーター２０２にバックスキャンを行うよう制御し、これと同時にＣＣＤ電源回路２０３、アナログ処理ＩＣ電源回路２０８に対してＯＦＦ信号を送出して、ＣＣＤラインセンサ２０４、アナログ処理ＩＣ２０５への電源供給を遮断し、読み取り停止状態にする。【選択図】　　　図２
2004146942.tif 000002
【特許請求の範囲】
【請求項１】
原稿を読み取り画像信号を出力する画像読取手段と、
前記画像信号を処理するアナログ処理手段と、
前記画像読取手段による第１の原稿の読み取り終了から第２の原稿の読み取り開始までの間に、前記画像読取手段、前記アナログ処理手段、前記画像読取手段及び／又は前記アナログ処理手段を駆動するための駆動信号を出力する駆動信号生成手段のうち少なくともいずれかを待機状態とする制御手段とを備えたことを特徴とする画像読取装置。
【請求項２】
前記第１の原稿と前記第２の原稿は、異なる原稿であることを特徴とする請求項１に記載の画像読取装置。
【請求項３】
前記第１の原稿と前記第２の原稿は、同じ原稿の表面と裏面であることを特徴とする請求項１に記載の画像読取装置。
【請求項４】
さらに、前記画像読取装置は、原稿を照射する照明手段を有し、前記制御手段は、前記画像読取手段による第１の原稿の読み取り終了から第２の原稿の読み取り開始までの間に、前記照明手段を消灯状態にすることを特徴とする請求項１〜３のいずれか１項に記載の画像読取装置。
【請求項５】
前記制御手段は、原稿を走査する走査手段を走査開始位置に戻すためのバックスキャン時に、前記画像読取手段、前記アナログ処理手段、前記駆動信号生成手段のうち少なくともいずれかを待機状態とすることを特徴とする請求項１〜４のいずれか１項に記載の画像読取装置。
【請求項６】
前記画像読取手段は、ラインセンサであることを特徴とする請求項１〜５のいずれか１項に記載の画像読取装置。
【請求項７】
前記アナログ処理手段は、アナログ処理ＩＣであることを特徴とする請求項１〜５のいずれか１項に記載の画像読取装置。
【請求項８】
前記画像読取手段の待機状態とは、前記画像読取手段の電源供給を遮断した状態であることを特徴とする請求項１〜７のいずれか１項に記載の画像読取装置。
【請求項９】
前記アナログ処理手段の待機状態とは、前記アナログ処理手段の電源供給を遮断した状態であることを特徴とする請求項１〜７のいずれか１項に記載の画像読取装置。
【請求項１０】
前記アナログ処理手段の待機状態とは、前記アナログ処理手段が有するパワーダウン機能を用いてパワーダウン設定をされた状態であることを特徴とする請求項１〜７のいずれか１項に記載の画像読取装置。
【請求項１１】
前記駆動信号生成手段の待機状態とは、前記画像読取手段及び／又は前記アナログ処理手段を駆動するための駆動信号を停止した状態であることを特徴とする請求項１〜７のいずれか１項に記載の画像読取装置。
【請求項１２】
前記画像読取手段は、原稿搬送手段を有し、前記原稿搬送手段により順次搬送される原稿を読み取ることを特徴とする請求項１〜１１のいずれか１項に記載の画像読取装置。
【請求項１３】
画像読取手段にて原稿を読み取って、その画像信号をアナログ処理手段に入力する画像読取装置を制御するための制御方法であって、
前記画像読取手段による第１の原稿の読み取り終了から第２の原稿の読み取り開始までの間に、前記画像読取手段、前記アナログ処理手段、前記画像読取手段及び／又は前記アナログ処理手段を駆動するための駆動信号を出力する駆動信号生成手段のうち少なくともいずれかを待機状態とする手順を有することを特徴とする画像読取装置の制御方法。
【請求項１４】
前記画像読取手段は、原稿搬送手段により順次搬送される原稿を読み取ることを特徴とする請求項１３に記載の画像読取装置の制御方法。
【請求項１５】
画像読取手段にて原稿を読み取って、その画像信号をアナログ処理手段に入力する画像読取装置を制御するためのプログラムであって、
前記画像読取手段による第１の原稿の読み取り終了から第２の原稿の読み取り開始までの間に、前記画像読取手段、前記アナログ処理手段、前記画像読取手段及び／又は前記アナログ処理手段を駆動するための駆動信号を出力する駆動信号生成手段のうち少なくともいずれかを待機状態とする処理を実行させることを特徴とするプログラム。
【請求項１６】
前記画像読取手段は、原稿搬送手段により順次搬送される原稿を読み取ることを特徴とする請求項１５に記載のプログラム。
【請求項１７】
請求項１６に記載のプログラムを格納したことを特徴とするコンピュータ読み取り可能な記憶媒体。
【発明の詳細な説明】
【０００１】
【発明の属する技術分野】
本発明は、複写機などの原稿を読み取るための画像読取装置、画像読取装置の制御方法、プログラム、及びコンピュータ読み取り可能な記憶媒体に関する。
【０００２】
【従来の技術】
画像読取装置として、一般にＣＣＤラインセンサなどを使用し、原稿台ガラス上に載置された原稿を副走査方向に走査して画像の読み取りを行うものが知られている。
【０００３】
【発明が解決しようとする課題】
ところで、画像読取装置に用いられる原稿照射のためのランプ及びランプを点灯させるためのインバータ、画像読み取りのためのＣＣＤラインセンサ、画像信号を処理するアナログ信号処理ＩＣなどは消費電力が比較的大きく、発熱量も大きい。
【０００４】
例えば、ランプにおいては、蛍光灯やキセノン管など蛍光体を使用しているものは長時間の点灯により劣化が進行してしまうおそれがある。
【０００５】
また、ＣＣＤラインセンサにおいては、カラーセンサの場合カラーフィルタの温度劣化が生じるおそれがある。カラーフィルタの劣化は分光特性の変化をもたらし、その結果カラー読み取り画像に悪影響を与えてしまう可能性がある。
【０００６】
また、アナログ信号処理ＩＣにおいては、各種バイアスの消費電流が大きく、発熱も大きいため、周囲に電解コンデンサなど温度寿命のある場合には、それらに影響を与える可能性もある。
【０００７】
本発明は上記の点に鑑みてなされたものであり、画像読取装置における温度上昇を抑えるとともに、消費電力を低減させることを目的としている。
【０００８】
【課題を解決するための手段】
本発明の画像読取装置は、原稿を読み取り画像信号を出力する画像読取手段と、前記画像信号を処理するアナログ処理手段と、前記画像読取手段による第１の原稿の読み取り終了から第２の原稿の読み取り開始までの間に、前記画像読取手段、前記アナログ処理手段、前記画像読取手段及び／又は前記アナログ処理手段を駆動するための駆動信号を出力する駆動信号生成手段のうち少なくともいずれかを待機状態とする制御手段とを備えた点に特徴を有する。
【０００９】
本発明の画像読取装置の制御方法は、画像読取手段にて原稿を読み取って、その画像信号をアナログ処理手段に入力する画像読取装置を制御するための制御方法であって、前記画像読取手段による第１の原稿の読み取り終了から第２の原稿の読み取り開始までの間に、前記画像読取手段、前記アナログ処理手段、前記画像読取手段及び／又は前記アナログ処理手段を駆動するための駆動信号を出力する駆動信号生成手段のうち少なくともいずれかを待機状態とする手順を有する点に特徴を有する。
【００１０】
本発明のプログラムは、画像読取手段にて原稿を読み取って、その画像信号をアナログ処理手段に入力する画像読取装置を制御するためのプログラムであって、前記画像読取手段による第１の原稿の読み取り終了から第２の原稿の読み取り開始までの間に、前記画像読取手段、前記アナログ処理手段、前記画像読取手段及び／又は前記アナログ処理手段を駆動するための駆動信号を出力する駆動信号生成手段のうち少なくともいずれかを待機状態とする処理を実行させる点に特徴を有する。
【００１１】
本発明のコンピュータ読み取り可能な記憶媒体は、上述した本発明のプログラムを格納した点に特徴を有する。
【００１２】
【発明の実施の形態】
以下、図面を参照して、本発明の画像読取装置、画像読取装置の制御方法、プログラム、及びコンピュータ読み取り可能な記憶媒体についての実施の形態を説明する。
【００１３】
（第１の実施の形態）
図１は、画像読取装置を示す図である。１００は画像読取装置１１７に設けられた原稿搬送装置であり、原稿トレイ１０１に載置された原稿１０２を画像読取装置１１７の原稿台ガラス１１８に一枚ずつ搬送する。
【００１４】
原稿トレイ１０１の上方には、給紙ローラ１０３が設けられている。給紙ローラ１０３は分離搬送ローラ１０４の回転駆動に連動して回転し、シート原稿１０２を給紙するようになっている。給紙ローラ１０３は通常ホームポジションである上方（図中実線位置）に待避している位置をとり、原稿セット作業を阻害しないようにしている。給紙動作が開始されると図中点線位置に下降して原稿１０２の上面に当接する。給紙ローラ１０３は図示しないアームにて軸支されるので、アームを揺動して給紙ローラ１０３を上下に動かせるようになっている。
【００１５】
分離パッド１０５は分離搬送ローラ１０４の対向側に配置され、分離搬送ローラ１０４側に圧を加えている。分離パッド１０５は分離搬送ローラ１０４より摩擦が若干小さいゴム材料などで形成され、給紙ローラ１０３にて給紙される原稿１０２を一枚毎にさばき、分離搬送ローラ１０４で給紙するようになっている。
【００１６】
レジストローラ１０６、レジスト従動ローラ１０７は分離部にて給紙された原稿の先端をそろえるレジスト手段であり、静止したレジストローラ対１０６、１０７のニップ部に向けて分離した原稿１０２先端を突き当て、原稿１０２にループを生じさせて先端をそろえている。原稿１０２はリードローラ１０８、リード従動ローラ１０９により原稿台ガラス１１８に向けて搬送される。
【００１７】
１１０は搬送ベルト駆動ローラ、１１１は搬送ベルト従動ローラ、１１２ａ、１１２ｂ、１１２ｃ、１１２ｄは押さえコロ、１１３は搬送ベルトである。リードローラ１０８、リード従動ローラ１０９により搬送された原稿１０２は搬送ベルト駆動ローラ１１０により駆動される搬送ベルト１１３により原稿台ガラス１１８上を搬送される。
【００１８】
読み取りが終了した原稿１０２は搬送ベルト１１３により、排紙ローラ１１４、排紙従動ローラ１１５まで搬送される。原稿１０２は排紙ローラ１１４、排紙従動ローラ１１５により排出トレイ１１６に排出される。
【００１９】
画像読取装置１１７において、読み取り原稿面に対して光を照射するランプ１１９、原稿１０２からの反射光をレンズ１２５、ＣＣＤラインセンサ１２６に導くミラー１２０、１２２、１２３を有する。ランプ１１９とミラー１２０は第１ミラー台１２１に取り付けられ、ミラー１２２、１２３は第２ミラー台１２４に取り付けられている。
【００２０】
第１、第２ミラー台１２１、１２４は図示しないワイヤによって図示しない駆動モーターと結合され、駆動モーターの回転駆動により原稿台ガラス１１８と平行に移動駆動される。
【００２１】
原稿１０２からの反射光はミラー１２０、１２２、１２３を介してレンズ１２５に導かれ、ＣＣＤラインセンサ１２６の受光部上に結象される。ＣＣＤラインセンサ１２６は上記反射光をライン上に配列されている受光素子にて光電変換し、入射光量に応じた電気信号を出力する。
【００２２】
上記のように構成された画像読取装置１１７において、原稿搬送装置１００により搬送された原稿１０２を原稿台ガラス１１８に載置して、第１ミラー台１２１、第２ミラー台１２４（以下、走査手段と称する）を副走査方向（図中矢印方向）に移動させながら原稿１０２を読み取る。
【００２３】
複数枚の原稿１０２を連続して読み取る場合には、原稿搬送装置１００は読み取り終了原稿１０２の排出、次原稿１０２の給紙を行い、この間、画像読取装置１１７の走査手段は読み取り終了位置から開始位置まで戻り、原稿台ガラス１１８に載置された次原稿１０２の読み取りを開始するようになっている。
【００２４】
ここで、第１の実施の形態の画像読取装置では、原稿搬送装置１００を使用して複数枚の原稿１０２を連続して読み取る場合、画像読取装置１１７の走査手段が読み取り終了位置から開始位置まで戻る（以下、バックスキャンと称する）間は読み取り動作を行わないことに着目して、ＣＣＤラインセンサ１２６やその信号を処理するためのアナログ処理ＩＣ（Ｉｎｔｅｇｒａｔｅｄ　Ｃｉｒｃｕｉｔ）を待機状態とするものである。
【００２５】
図２は、画像読取装置１１７を制御するための構成を示すブロック図である。２００は画像読取装置１１７のＣＰＵであり、画像読取装置１１７の各部の制御を行う。フォワードスキャン／バックスキャンはＣＰＵ２００の制御により行われる。
【００２６】
２０２モーターであり、走査手段である第１ミラー台１２１、第２ミラー台１２４を移動させる。２０１はモーター２０２を駆動するモータードライバである。
【００２７】
２０３はＣＣＤ電源回路であり、ＣＰＵ２００によりＯＮ／ＯＦＦ制御がなされるようになっている。２０４はＣＣＤラインセンサであり（図１中の１２６に相当）、ＣＣＤ電源回路２０３からの電源供給と図中の駆動クロック信号により動作する。ＣＣＤラインセンサ２０４の出力信号は、エミッタフォロワ回路等によりインピーダンス変換され、カップリングコンデンサを通ってアナログ処理ＩＣ２０５に入力される。ＣＣＤ出力信号はアナログ処理ＩＣ２０５にてオフセット調整、ゲイン調整等のアナログ信号処理が行われる。２０６はＡＤ変換器であり、アナログ処理ＩＣ２０５からのアナログ信号をデジタル信号に変換する。２０７は画像処理回路であり、シェーディング補正等の処理を行う。
【００２８】
２０８はアナログ処理ＩＣ電源回路であり、ＣＰＵ２０１によりＯＮ／ＯＦＦ制御がなされるようになっている。アナログ処理ＩＣ２０５はアナログ処理ＩＣ電源回路２０８からの電源供給と図中の駆動クロック信号により動作する。
【００２９】
以上のような構成において、原稿搬送装置１００により原稿が原稿台ガラス１１８の所定位置にセットされると、ＣＰＵ２００はＣＣＤ電源回路２０３、アナログ処理ＩＣ電源回路２０８に対してＯＮ信号を送出して、ＣＣＤラインセンサ２０４、アナログ処理ＩＣ２０５に電源供給を行うよう制御する。
【００３０】
各電源が立ち上がり、ＣＣＤラインセンサ２０４、アナログ処理ＩＣ２０５が読み取り動作可能な状態になるまで所定時間待った後、ＣＰＵ２００はモータードライバ２０１にモーター駆動信号を出力し、モーター２０２により走査手段である第１ミラー台１２１、第２ミラー台１２４を移動させて、原稿読み取りを行う。
【００３１】
走査手段が読み取り原稿の後端部まで達し、原稿全体の読み取りが完了すると、ＣＰＵ２００は走査手段を読み取り開始位置に戻すべく、モータードライバ２０１を介してモーター２０２にバックスキャンを行うよう制御する。
【００３２】
これと同時に、ＣＰＵ２００はＣＣＤ電源回路２０３、アナログ処理ＩＣ電源回路２０８に対してＯＦＦ信号を送出して、ＣＣＤラインセンサ２０４、アナログ処理ＩＣ２０５への電源供給を遮断し、読み取り停止状態にする（待機状態）。
【００３３】
走査手段が読み取り開始位置に戻り、次原稿の読み取りを開始する際には、ＣＰＵ２００は再び走査手段を読み取り移動させるとともに、ＣＣＤ電源回路２０３、アナログ処理ＩＣ電源回路２０８に対してＯＮ信号を送出して、ＣＣＤラインセンサ２０４、アナログ処理ＩＣ２０５に対して電源供給を行い、読み取り動作を行う。
【００３４】
図３は、原稿連続読み取り時の走査手段、ＣＣＤラインセンサ２０４、及びアナログ処理ＩＣ２０５の動作状態を模式的に示したものである。図３（ａ）に示に示すように、原稿を連続して読み取る場合、画像読み取り（フォワードスキャン）とバックスキャンを繰り返し行う。ｔ１、ｔ２はそれぞれ画像読み取り時間（フォワードスキャン時間）、バックスキャン時間を示している。通常、バックスキャン速度はフォワードスキャン速度より速く、原稿読み取りが終了すると高速で読み取り開始位置に戻るように制御される。
【００３５】
図３（ｂ）、（ｃ）は、ＣＣＤラインセンサ２０４及びアナログ処理ＩＣ２０５の動作状態を示している。図３（ｂ）は従来の連続読み取り動作における動作状態である。この場合、ＣＣＤラインセンサ２０４及びアナログ処理ＩＣ２０５は常にＯＮ状態、すなわち読み取り動作状態にある。
【００３６】
それに対して、図３（ｃ）は本実施の形態における動作状態を示している。この場合、ＣＣＤラインセンサ２０４及びアナログ処理ＩＣ２０５はバックスキャン時にＯＦＦ状態になるよう制御される。バックスキャン時にはＣＣＤラインセンサ２０４及びアナログ処理ＩＣ２０５を動作させる必要はないので、この間はＯＦＦ制御することにより、ＣＣＤラインセンサ２０４やアナログ処理ＩＣ２０５の温度上昇を抑えるとともに、消費電力の削減を図ることができる。
【００３７】
上記の例では、アナログ処理ＩＣ２０５に対し、その電源供給をＯＦＦすることで待機状態を実現しているが、アナログ処理ＩＣの機能としてパワーダウンモードを持つものがある。かかるパワーダウンモード機能を有するアナログ処理ＩＣを使用する場合は、電源供給のＯＮ／ＯＦＦではなく、パワーダウンモードへ移行させるための設定を行えばよい。
【００３８】
図４は、アナログ処理ＩＣのパワーダウンモード機能を利用する場合における画像読取装置１１７を制御するための構成を示すブロック図である。回路ブロックの全体構成としては、図２に示したものとほぼ同様であるが、アナログ処理ＩＣ４０５がＣＰＵ４００と接続されている点が異なる。
【００３９】
アナログ処理ＩＣ４０５は外部からの設定用にシリアルインターフェイスを有しており、ＣＰＵ４００からのシリアルデータを受信し、各種設定を行うようになっている。ＣＰＵ４００から送られる信号はデータ信号（ＤＡＴＡ）、クロック信号（ＣＬＫ）、ロード信号（ＬＯＡＤ）の３種である。
【００４０】
図２に示した例と同様に、走査手段が読み取り原稿の後端部まで達し、原稿全体の読み取りが完了すると、ＣＰＵ４００は走査手段を読み取り開始位置に戻すべく、モータードライバ４０１を介してモーター４０２にバックスキャンを行うよう制御するとともに、ＣＣＤ電源回路４０３へのＯＦＦ信号の出力、そしてアナログ処理ＩＣ４０５に対してパワーダウン設定をすべくデータを送信する。
【００４１】
走査手段が読み取り開始位置に戻り、次原稿の読み取りを開始する際には、ＣＰＵ４００は再び走査手段を読み取り移動させるとともに、ＣＣＤ電源回路４０３に対してＯＮ信号を出力するとともに、アナログ処理ＩＣ４０５に対してパワーダウン解除のためのデータを送信し、ＣＣＤラインセンサ４０４及びアナログ処理ＩＣ４０５を動作状態にし、画像読み取りを行う。
【００４２】
以上述べたように、画像読み取りを行っていないバックスキャン時にＣＣＤラインセンサへの電源供給の遮断、アナログ処理ＩＣへの電源供給の遮断或いはアナログ処理ＩＣへのパワーダウン設定を行うことにより（待機状態への移行）、ＣＣＤラインセンサ、アナログ処理ＩＣの温度上昇を抑えるとともに、消費電力を低減させることができる。
【００４３】
具体的な画像読取装置の例にすると、ＣＣＤラインセンサの消費電力が約１Ｗ、アナログ処理ＩＣの消費電力が約５００ｍＷであり、待機状態においてそれぞれ０Ｗ、１００ｍＷとなるようにした。１回の原稿読み取りに約２．０秒かかるが、そのうち待機状態にするのはバックスキャン時の０．３秒である。この場合に、温度的にはＣＣＤラインセンサ及びアナログ処理ＩＣ周辺で５℃近く低下させることができた。
【００４４】
（第２の実施の形態）
図１は、原稿両面が読み取り可能な画像読取装置を示す図である。５００は画像読取装置５１９に設けられた原稿搬送装置であり、原稿トレイ５０１に載置された原稿５０２を画像読取装置５１９の原稿台ガラス５２０に一枚ずつ搬送するものであり、原稿台ガラス５２０に対して原稿５０２の表面、裏面の両面を載置することができる。
【００４５】
原稿トレイ５０１上には原稿５０２が置かれたことを検出する原稿センサ５０３が設置されている。原稿センサ５０３により原稿５０２が原稿トレイ５０１に置かれたことが検知され、ユーザによりスタートキーが押されると原稿５０２の搬送が開始される。
【００４６】
原稿トレイ５０１の上方には、給紙ローラ５０４が設けられている。給紙ローラ５０４は分離搬送ローラ５０５の回転駆動に連動して回転し、シート原稿５０２を給紙するようになっている。給紙ローラ５０４は通常ホームポジションである上方（図中実線位置）に待避している位置をとり、原稿セット作業を阻害しないようにしている。給紙動作が開始されると図中点線位置に下降して原稿５０２の上面に当接する。給紙ローラ５０４は図示しないアームにて軸支されるので、アームを揺動して給紙ローラ５０４を上下に動かせるようになっている。
【００４７】
分離パッド５０６は分離搬送ローラ５０５の対向側に配置され、分離搬送ローラ５０５側に圧を加えている。分離パッド５０６は分離搬送ローラ５０５より摩擦が若干小さいゴム材料などで形成され、給紙ローラ５０４にて給紙される原稿５０２を一枚毎にさばき、分離搬送ローラ５０５で給紙するようになっている。
【００４８】
レジストローラ５０７、レジスト従動ローラ５０８は分離部にて給紙された原稿の先端をそろえるレジスト手段であり、静止したレジストローラ対５０７、５０８のニップ部に向けて分離した原稿５０２先端を突き当て、原稿５０２にループを生じさせて先端をそろえている。
【００４９】
原稿５０２は搬送ベルト駆動ローラ５０９、搬送ベルト従動ローラ５１０により駆動される搬送ベルト５１１により原稿台ガラス５２０上に搬送される。原稿５０２が原稿台ガラス５２０上の画先位置まで搬送されると原稿搬送が一旦停止され、画像読取装置５１９により読み取りが行われる。
【００５０】
片面読みモードが設定されている場合、読み取りを終了した原稿５０２は排紙トレイ５１８に排出される。このとき、排紙トレイ５１８に排出される原稿５０２は表面が下になるように排出される。これは原稿トレイ５０１に載置された原稿５０２を載置された順番通りに排紙トレイ５１８に重ねていくためである。
【００５１】
ここで、排紙トレイ５１８への排出方法を説明する。第１フラッパ５１３、第２フラッパ５１４は実線に示す位置にあり、読み取りが終了した原稿５０２はそれに沿って反転排紙ローラ５１５の上部に向かって搬送される。反転排紙ローラ５１５、反転排紙従動ローラ５１６は実線の矢印の向きに回転して原稿５０２を搬送しておき、反転排紙センサ５１７によってその先端が検出されると、回転を一旦停止する。そして、反転排紙ローラ５１５、反転排紙従動ローラ５１６は破線矢印の方向に逆回転を開始するとともに、第１フラッパ５１３、第２フラッパ５１４は破線で示される位置に移動する。原稿５０２は反転排紙ローラ５１５によってフラッパに沿って搬送され、その結果、表面が下になった状態で排紙トレイ５１８に排出される。
【００５２】
片面読み取りにて、原稿５０２がスモールサイズ（Ａ４以下）の場合、読み取られた原稿５０２は排紙トレイ５１８まで排出されずに、原稿台ガラス５２０の後端まで搬送されるようになっている。スモールサイズ原稿は原稿台ガラス５２０に対して半分の大きさであり、２枚の原稿を原稿台ガラス５２０上に同時に載置することができる。そのため、次原稿５０２を読み取り位置開始位置に搬送する際、原稿台ガラス５２０上で読み取りを終了した原稿５０２と干渉することはないので、読み取りを終了した原稿５０２は排紙トレイ５１８まで搬送する必要はなく、原稿台ガラス５２０の後端まで搬送するだけでよい。かかる搬送方法では原稿交換時間が短くて済むという利点がある。
【００５３】
一方、ラージサイズ（〜Ａ３）原稿の場合、２枚の原稿５０２を原稿台ガラス５２０上に同時に載置できないので、読み取り終了した原稿５０２は排紙トレイ５１８に排出して、次原稿５０２を原稿台ガラス５２０の所定位置に載置するような搬送形態がとられる。したがって、原稿交換時間はスモールサイズ原稿の場合と比べて長くなる。
【００５４】
両面読み取りを行う場合、読み取った原稿５０２を反転し、それを再び原稿台ガラス５２０上に載置する動作が行われる。まず、第１フラッパ５１３、第２フラッパ５１４は実線に示す位置にあり、原稿５０２がそれに沿って反転排紙ローラ５１５まで搬送される。反転排紙ローラ５１５、反転排紙従動ローラ５１６は実線矢印の向きに回転しながら原稿５０２を搬送し、反転排紙センサ５１７によりその先端が検出されると、搬送ベルト駆動ローラ５０９を逆転させ、搬送ベルト５１１を図中破線矢印の向きに動作させる。原稿５０２は搬送ベルト５１１により画先位置まで搬送され、原稿５０２の裏面読み取りが開始されるようになっている。５１２ａ〜５１２ｄは押さえコロである。
【００５５】
裏面読み取りを終えた原稿５０２は排紙トレイ５１８に向かって搬送される。このとき、原稿５０２は裏面読み取りのため既に反転されているので、片面読み取り時のように原稿表面を下になるように原稿５０２を反転するための操作は必要ない。第１フラッパ５１３、第２フラッパ５１４は破線位置にあり、反転排紙ローラ５１５は破線矢印の方向に回転しており、搬送ベルト５１１から出た原稿５０２は反転排紙ローラ５１５の下側を通って、排紙トレイ５１８に排出される。
【００５６】
画像読取装置５１９において、読み取り原稿面に対して光を照射するランプ５２１、原稿５０２からの反射光をレンズ５２７、ＣＣＤラインセンサ５２８に導くミラー５２２、５２４、５２５を有する。ランプ５２１とミラー５２２は第１ミラーユニット５２３に取り付けられ、ミラー５２４、５２５は第２ミラーユニット５２６に取り付けられている。
【００５７】
第１、第２ミラーユニット５２３、５２６は図示しないワイヤによって図示しない駆動モーターと結合され、駆動モーターの回転駆動により原稿台ガラス５２０と平行に移動駆動される。
【００５８】
原稿５０２からの反射光はミラー５２２、５２４、５２５を介してレンズ５２７に導かれ、ＣＣＤラインセンサ５２８の受光部上に結象される。ＣＣＤラインセンサ５２８は上記反射光をライン上に配列されている受光素子にて光電変換し、入射光量に応じた電気信号を出力する。
【００５９】
上記のように構成された画像読取装置５１９において、原稿搬送装置５００により搬送された原稿５０２を原稿台ガラス５２０に載置して、第１ミラーユニット５２３、第２ミラーユニット５２６（以下、走査手段と称する）を副走査方向（図中矢印方向）に移動させながら原稿５０２を読み取る。
【００６０】
複数枚の原稿５０２を連続して読み取る場合には、原稿搬送装置５００は読み取り終了原稿５０２の排出、次原稿５０２の給紙を行い、この間、画像読取装置５１９の走査手段は読み取り終了位置から開始位置まで戻り、原稿台ガラス５２０に載置された次原稿５０２の読み取りを開始するようになっている。
【００６１】
ここで、第２の実施の形態の画像読取装置では、従来、原稿載置センサ５０３により原稿５０２が原稿トレイ５０１に載置されていることが検知されている限り、読み取るべき原稿５０２がまだあると判断されて、ランプ消灯など読み取りを停止する制御は行われていないが、この原稿交換時は読み取り動作を行わないことに着目して、ランプ５２１、ＣＣＤラインセンサ５２８、アナログ処理ＩＣを待機状態とするものである。
【００６２】
図６は、画像読取装置５１９を制御するための構成を示すブロック図である。６００は原稿搬送装置５００のＣＰＵであり、原稿搬送装置５００の各部の制御を行う。また、６０１は画像読取装置５１９のＣＰＵであり、画像読取装置５１９の各部の制御を行う。フォワードスキャン／バックスキャンはＣＰＵ６０１の制御により行われる。
【００６３】
６０３モーターであり、走査手段である第１ミラーユニット５２３、第２ミラーユニット５２６を移動させる。６０２はモーター６０３を駆動するモータードライバである。
【００６４】
６０４はランプ６０５を点灯させるためのインバータ回路である。点灯・消灯制御はＣＰＵ６０１の制御により行われる。
【００６５】
６０６はＣＣＤ電源回路であり、ＣＰＵ６０１によりＯＮ／ＯＦＦ制御がなされるようになっている。６０７はＣＣＤラインセンサであり（図５中の６２８に相当）、ＣＣＤ電源回路６０６から電源が供給される。ＣＣＤラインセンサ６０７の出力信号は、エミッタフォロワ回路等によりインピーダンス変換され、カップリングコンデンサを通ってアナログ処理ＩＣ６０８に入力される。ＣＣＤ出力信号はアナログ処理ＩＣ６０８にてオフセット調整、ゲイン調整等のアナログ信号処理が行われる。アナログ処理ＩＣ６０８は内部機能つぃてパワーダウン設定を有しており、その設定方法はＣＰＵ６０１からのシリアル通信データにより行われる。６０９はＡＤ変換器であり、アナログ処理ＩＣ６０８からのアナログ信号をデジタル信号に変換する。６１０は画像処理回路であり、シェーディング補正等の処理を行う。
【００６６】
以上のような構成において、原稿搬送装置５００により原稿５０２が原稿台ガラス５２０の所定位置にセットされると、ＣＰＵ６００は画像読取装置５１０のＣＰＵ６０１に原稿載置完了の信号を出力する。ＣＰＵ６０１は読み取り動作を開始すべく、インバータ回路６０４、ＣＣＤ電源回路６０６、アナログ処理ＩＣ６０８に対してＯＮ信号を出力する。
【００６７】
各部が立ち上がり、読み取り可能な状態になるまで所定時間待った後、ＣＰＵ６０１はモータードライバ６０２にモーター駆動信号を出力し、モーター６０３により走査手段を移動させ、原稿読み取りを行う。
【００６８】
走査手段が読み取り原稿の後端部まで達し、原稿全体の読み取りが完了すると、ＣＰＵ６０１は走査手段を読み取り開始位置に戻すべく、モータードライバ６０２を介してモーター６０３にバックスキャンを行うよう制御する。
【００６９】
これと同時に、ＣＰＵ６０１はインバータ回路６０４、ＣＣＤ電源回路６０６、及びアナログ処理ＩＣ６０８に対してＯＦＦ信号を送出して、ランプ消灯、ＣＣＤラインセンサ６０７への電源供給の遮断、アナログ処理ＩＣ６０８のパワーダウンモード設定を行う（待機状態）。
【００７０】
また、原稿搬送装置５００のＣＰＵ６００は、片面モードのときは読み取り原稿の排出、両面モードのときは原稿の反転を行い、次原稿を読み取り開始位置に載置するよう動作制御する。
【００７１】
走査手段が読み取り開始位置に戻ると、画像読取装置５１９のＣＰＵ６０１は原稿搬送装置５００のＣＰＵ６００からの原稿載置完了信号を待つ。このとき、ランプ５２１、ＣＣＤラインセンサ６０７、アナログ処理ＩＣ６０８は引き続き待機状態となっている。
【００７２】
原稿の載置が完了すると、原稿搬送装置５００のＣＰＵ６００は画像読取装置５１９のＣＰＵ６０１に対して原稿載置完了信号を送信する。これを受けた画像読取装置５１９のＣＰＵ６０１は読み取り動作を開始すべく、インバータ回路６０４、ＣＣＤ電源回路６０６、及びアナログ処理ＩＣ６０８に対してＯＮ信号を出力し、読み取り動作を開始する。
【００７３】
図７は、原稿連続読み取り時の走査手段、ＣＣＤラインセンサ６０７、及びアナログ処理ＩＣ６０８の動作状態を模式的に示したものである。
【００７４】
図７（ａ）はスモールサイズ（Ａ４以下）の原稿を片面読み取りする場合の画像読取装置５１９、原稿搬送装置５００の動作状態を示す。時間ｔ１は画像読み取りに要する時間であり、この間に走査手段を副走査方向に移動させて画像を読み取っている。時間ｔ２は原稿交換時間である。
【００７５】
図７（ｂ）は原稿読取装置５１９の読み取り系（ランプ５２１、ＣＣＤラインセンサ５２８（６０７）、アナログ処理ＩＣ６０８など）の動作状態を示す。従来の画像読み取りでは原稿交換期間に関係なく、常に読み取り系はＯＮ状態であるが、原稿交換時にＯＦＦ制御を入れることにより同図に示すような動作状態になる。時間ｔ１は原稿を読み取っている期間なので読み取り系はＯＮ状態であり、時間ｔ２は原稿交換期間なので読み取り系はＯＦＦ状態（待機状態）になるよう制御される。
【００７６】
図７（ｃ）はスモールサイズ両面読み取りモードでの画像読取装置５１９、原稿搬送装置５００の動作状態を示す。読み取り原稿サイズは同じなので読み取り時間ｔ１は同一時間幅である。しかし、読み取り終了後、原稿を反転し原稿台ガラス５２０の所定位置に載置しなければならない分、（ａ）に比べて原稿交換時間が長くなる（時間ｔ３）。
【００７７】
図７（ｄ）は原稿読取装置５１９の読み取り系の動作状態を示したものである。時間ｔ１は（ｂ）と同様に画像を読み取っている期間なので読み取り系はＯＮ状態にある。ｔ３は原稿交換期間であり、ＯＦＦ状態（待機状態）となっている。
【００７８】
原稿交換時間は原稿サイズ、片面、両面モードによって異なるので、種々のモードに対する原稿交換時間に対して適宜ＯＦＦ状態（待機状態）となるよう制御すれば、読み取りとは関係ない原稿交換時間での温度上昇を抑え、消費電力を低減させることができる。
【００７９】
図８に示す例は、上述したＯＦＦ制御にＣＣＤラインセンサ、アナログ処理ＩＣ、ＡＤ変換器などを駆動するための高速クロックを停止する制御を加えた場合のブロック図である。
【００８０】
８００は原稿搬送装置５００のＣＰＵ、８０１は画像読取装置５１９のＣＰＵであり、上記の例と同様に各部の制御を行う。８０３モーターであり、走査手段である第１ミラーユニット５２３、第２ミラーユニット５２６を移動させるためのものである。８０２はモーター６０３を駆動するモータードライバである。
【００８１】
８０４はランプ８０５を点灯させるためのインバータ回路である。点灯・消灯制御はＣＰＵ８０１の制御により行われる。
【００８２】
８０６はＣＣＤ電源回路であり、ＣＰＵ６０１によりＯＮ／ＯＦＦ制御がなされるようになっている。８０７はＣＣＤラインセンサであり（図５中の６２８に相当）、ＣＣＤ電源回路８０６から電源が供給される。ＣＣＤラインセンサ８０７の出力信号はアナログ処理ＩＣ８０８に入力され、所定の調整が行われた後、ＡＤ変換器８０９にてＡＤ変換される。８１０は画像処理回路であり、シェーディング補正等の処理を行う。
【００８３】
８１１はＣＣＤラインセンサ８０７、アナログ処理ＩＣ８０８、ＡＤ変換器８０９、画像処理回路８１０を駆動するのに必要なクロック信号を出力する駆動クロック生成回路である。駆動クロック生成回路８１１は図示しない発信器などの基準クロックを基に各部の駆動クロックを生成する回路であり、ＣＰＵ８０１の制御により駆動クロックのＯＮ／ＯＦＦ制御がなされるようになっている。
【００８４】
８１２はＣＣＤラインセンサ８０７のアナログシフトレジスタを駆動するためのドライバＩＣである。アナログシフトレジスタ駆動時に大電流が流れるため、その分発熱、消費電流が大きい個所である。
【００８５】
上記の例と同様に、原稿読み取りが終了しバックスキャンが開始されると同時にＣＰＵ８０１はインバータ回路８０４、ＣＣＤ電源回路８０６、アナログ処理ＩＣ８０８、及び駆動クロック生成回路８１１にＯＦＦ信号を送出して、ランプ消灯、ＣＣＤラインセンサ８０７への電源遮断、アナログ処理ＩＣのパワーダウンモード、駆動クロックの停止設定を行う。
【００８６】
バックスキャンが終了すると、画像読取装置５１９のＣＰＵ８０１は原稿搬送装置５００からの原稿載置完了信号を待つ。このとき、ランプ５２１、ＣＣＤラインセンサ８０７、アナログ処理ＩＣ８０８、駆動クロック生成回路８１１は引き続き待機状態となっている。
【００８７】
原稿の載置が完了すると、原稿搬送装置５００のＣＰＵ８００は画像読取装置５１９のＣＰＵ８０１に対して原稿載置完了信号を送信する。これを受けた画像読取装置５１９のＣＰＵ８０１は読み取り動作を開始すべく、インバータ回路８０４、ＣＣＤ電源回路８０６、アナログ処理ＩＣ８０８、及び駆動クロック生成回路８１１に対してＯＮ信号を出力し、読み取り動作を開始する。
【００８８】
このように駆動クロック生成回路８１１までも待機状態とすることにより、読み取り系の全体を待機状態とすることができる。
【００８９】
図９のフローチャートを参照して説明すると、原稿５０２が原稿搬送装置５００に載置され、コピーボタンが押されると（ステップＳ９０１）、原稿５０２の読み取りを開始すべく、ＣＰＵ８０１は、ランプ８０５の点灯、ＣＣＤラインセンサ８０７及びアナログ処理ＩＣ８０８の高速駆動クロックの出力開始、ＣＣＤラインセンサ８０７への電源供給、アナログ処理ＩＣ８０８のパワーダウンモード解除を行う（ステップＳ９０２）。
【００９０】
その後、ＣＰＵ８０１は原稿搬送装置５００に原稿搬送開始を指示し（ステップＳ９０３）、画像読取装置５１９の原稿台ガラス５２０への原稿載置完了を待つ（ステップＳ９０４）。原稿５０２が載置されたら、ＣＰＵ８０１はモーター８０３を制御し、走査手段である第１ミラーユニット５２３、第２ミラーユニット５２６を副走査方向に移動させ、原稿全面の読み取りを行う（ステップＳ９０５）。
【００９１】
原稿全面の読み取りが完了したら（ステップＳ１０６）、ＣＰＵ８０１はモーター８０３を原稿読み取り時と反対方向に回転させ、走査手段をホームポジションに戻すよう制御する（ステップＳ９０７）。
【００９２】
これと同時に、ＣＰＵ８０１は、ランプ８０５の消灯、ＣＣＤラインセンサ８０７及びアナログ処理ＩＣ８０８の高速駆動クロックの出力停止、ＣＣＤラインセンサ８０７への電源供給の遮断、アナログ処理ＩＣ８０８のパワーダウンモード設定を行う（ステップＳ９０８）。
【００９３】
走査手段がホームポジションに戻ったことを検知したら（ステップＳ９０９）、ＣＰＵ８０１は走査手段のバックスキャンを停止するようモーター８０３を制御する（ステップＳ９１０）。
【００９４】
次にＣＰＵ８０１は原稿搬送装置５００に対し、次原稿があるかどうかを確認する（ステップＳ９１１）。次原稿の読み取りがある場合、次原稿の読み取りを開始すべく、ステップＳ９０２に戻って、ランプ８０５の点灯、ＣＣＤラインセンサ８０７及びアナログ処理ＩＣ８０８の高速駆動クロックの出力開始、ＣＣＤラインセンサ８０７への電源供給、アナログ処理ＩＣ８０８のパワーダウンモード解除を行い、上記一連の読み取り動作を繰り返す。次原稿の読み取りがない場合、読み取り動作を終了する（ステップＳ９１２）。このとき、ランプ８０５、ＣＣＤラインセンサ８０７及びアナログ処理ＩＣ８０８の高速駆動クロック、ＣＣＤラインセンサ８０７への電源、アナログ処理ＩＣ８０８は待機状態のままであり、ユーザによる次回の読み取り開始指示があるまでその状態を保つ。
【００９５】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００９６】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００９７】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９８】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００９９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【０１００】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。例えば、電源遮断やクロック信号停止などに限定されず、通常の読み取り動作とは異なる動作状態にして温度上昇を抑えるとともに、消費電力の低減を図るようにしてもかまわない。また、ここでは画像読み取り手段にＣＣＤラインセンサを用いた実施例について説明したが、ＣＣＤラインセンサに替わる他の撮像素子を用いても同様の効果が得られる。
【０１０１】
【発明の効果】
以上述べたように本発明によれば、原稿読み取り終了から次原稿の読み取り開始、あるいは原稿の表面読取終了から原稿の裏面読取開始までの原稿交換の間に、ＣＣＤラインセンサ等の画像読取手段、アナログ処理ＩＣ等のアナログ処理手段、駆動クロック生成回路等の駆動信号生成手段を待機状態とするので、画像読取装置における温度上昇を抑えるとともに、消費電力を低減させることができる。
【図面の簡単な説明】
【図１】第１の実施の形態の画像読取装置を示す図である。
【図２】画像読取装置を制御するための構成を示すブロック図である。
【図３】原稿連続読み取り時の走査手段、ＣＣＤラインセンサ、及びアナログ処理ＩＣの動作状態を模式的に示す図である。
【図４】アナログ処理ＩＣのパワーダウンモード機能を利用する場合における画像読取装置を制御するための構成を示すブロック図である。
【図５】第２の実施の形態の画像読取装置を示す図である。
【図６】画像読取装置を制御するための構成を示すブロック図である。
【図７】原稿連続読み取り時の走査手段、ＣＣＤラインセンサ、及びアナログ処理ＩＣの動作状態を模式的に示す図である。
【図８】画像読取装置を制御するための構成を示すブロック図である。
【図９】図８に示した例における制御処理を示すフローチャートである。
【符号の説明】
１００、５００　　　　原稿搬送装置
１１７、５１９　　　　画像読取装置
１２１　　　　　　　　第１のミラー台
１２３　　　　　　　　第２のミラー台
５２３　　　　　　　　第１のミラーユニット
５２６　　　　　　　　第２のミラーユニット
２００、４００　　　　ＣＰＵ
２０３、４０３　　　　ＣＣＤ電源回路
２０４、４０４　　　　ＣＣＤラインセンサ
２０５、４０５　　　　アナログ処理ＩＣ
２０８　　　　　　　　アナログ処理ＩＣ電源回路
６０１、８０１　　　　ＣＰＵ
６０５、８０５　　　　ランプ
６０６、８０６　　　　ＣＣＤ電源回路
６０７、８０７　　　　ＣＣＤラインセンサ
６０８、８０８　　　　アナログ処理ＩＣ
８１１　　　　　　　　駆動パルス生成回路
【図１】
2004146942.tif 000003
【図２】
2004146942.tif 000004
【図３】
2004146942.tif 000005
【図４】
2004146942.tif 000006
【図５】
2004146942.tif 000007
【図６】
2004146942.tif 000008
【図７】
2004146942.tif 000009
【図８】
2004146942.tif 000010
【図９】
2004146942.tif 000011